(57)【要約】【課題】端子の圧入に際しての作業性を確保する。【解決手段】基板用コネクタＣは、回路基板Ｐに固定されるハウジング１０に、複数のプレスフィット端子２０が横幅方向に並列して組み付けられた構成となっている。端子２０の一端部には、電気接続部２３と治具当て部２７とが設けられ、治具当て部２７に圧入治具５０を当接させつつ電気接続部２３をスルーホール４０に圧入すると、電気接続部２３がスルーホール４０の内周に形成された導電部４１に接触して電気的接続が取られる。端子２０の曲げ部３０には、内周側の両側縁部分を切除することで除肉部３１が形成されているため、端子２０を折り曲げた際に、曲げ部３０の内周側の肉が逃げて外側に張り出すことが防止される。そのため、端子２０の圧入に際して、圧入治具と逃げた肉との干渉が問題とならず、作業性を確保することができる。【選択図】  図１
2004319338.tif 000002
【特許請求の範囲】
【請求項１】
回路基板のスルーホールに挿入され、このスルーホールの内周に形成された導電部との間で電気的接続を取ることに用いる端子であって、
一端が曲げ部から折り曲げられて、その先端部に、幅方向に張り出した治具当て部と、弾性又は塑性変形可能な電気接続部とが設けられ、前記治具当て部に圧入治具を当接させつつ前記電気接続部を前記スルーホールに圧入すると、前記電気接続部が前記導電部に接触して電気的接続が取られるようにしたものにおいて、
前記曲げ部には、その内周側の両側縁部分を切除してなる除肉部が形成されていることを特徴とするプレスフィット端子。
【請求項２】
前記除肉部の切断面は、内周側に行くにつれて幅方向の内側に向かうような傾斜面となっていることを特徴とする請求項１に記載のプレスフィット端子。
【請求項３】
回路基板に固定されるハウジングに端子が複数本並列して備えられたコネクタであって、
前記端子は、一端が曲げ部から折り曲げられて、その先端部に、幅方向に張り出した治具当て部と、弾性又は塑性変形可能な電気接続部とが設けられ、前記治具当て部に圧入治具を当接させつつ前記電気接続部を前記スルーホールに圧入すると、前記電気接続部が前記スルーホールの内周に形成された導電部に接触して電気的接続が取られるようにしたものにおいて、
前記曲げ部には、その内周側の両側縁部分を切除してなる除肉部が形成されていることを特徴とする基板用コネクタ。
【発明の詳細な説明】
【０００１】
【発明の属する技術分野】
本発明は、プレスフィット端子及びプレスフィット端子を備えた基板用コネクタに関する。
【０００２】
【従来の技術】
近年、回路基板のスルーホールに挿入されてその内周に形成された導電部との間で電気的接続を取ることに用いる端子として、プレスフィットタイプのものが普及しつつある（例えば、特許文献１参照）。その一例として、図９及び図１０に示すものがある。これは、回路基板Ｐに固定される合成樹脂製のハウジング１に、複数のプレスフィット端子２が幅方向に並列して組み付けられた構成となっている。各プレスフィット端子２は、ハウジング１外に延出した部分がＬ字状に折り曲げられており、その端部には、一対の電気接続部３が外側へ概ね円弧状に膨出形成され、さらにその電気接続部３の基端側に一対の治具当て部４が幅方向に張り出して形成されている。このコネクタを回路基板Ｐに組み付ける際には、圧入治具５の櫛歯状の押圧部５Ａを各端子２間へ上方から差し込み、その先端を各端子２の治具当て部４の上縁に突き当てつつ電気接続部３を回路基板Ｐのスルーホール６へ押し込むようにする。すると、両電気接続部３が内側へ閉じるように弾性変形し、その開き方向の弾発力によりスルーホール６内周の導電部７に押し付けられて電気的接続が取られるようになっている。
【０００３】
【特許文献１】
ドイツ特許出願公開第１９６０８１６８号公報
【０００４】
【発明が解決しようとする課題】
ところで、上記の端子２をＬ字状に折り曲げる際には、曲げ部８の内周側の肉が幅方向の外側へ逃げて曲げ部８の側面に張出部９が形成されることがある（ＷＴ１＜ＷＴ２）。この張出部９と圧入治具５との干渉を回避するためには、押圧部５Ａ間の幅寸法ＷＧを十分大きく設定しておく必要があるが、すると押圧部５Ａと治具当て部４との重なり代が小さくなり、その結果押圧部５Ａが治具当て部４から外れやすくなって端子２の圧入の作業性が悪化するという問題がある。
本発明は、上記事情に鑑みてなされたもので、その目的は、端子の圧入に際しての作業性を確保することの可能なプレスフィット端子及び基板用コネクタを提供するところにある。
【０００５】
【課題を解決するための手段】
上記の課題を解決するための請求項１の発明に係るプレスフィット端子は、回路基板のスルーホールに挿入され、このスルーホールの内周に形成された導電部との間で電気的接続を取ることに用いる端子であって、一端が曲げ部から折り曲げられて、その先端部に、幅方向に張り出した治具当て部と、弾性又は塑性変形可能な電気接続部とが設けられ、前記治具当て部に圧入治具を当接させつつ前記電気接続部を前記スルーホールに圧入すると、前記電気接続部が前記導電部に接触して電気的接続が取られるようにしたものにおいて、前記曲げ部には、その内周側の両側縁部分を切除してなる除肉部が形成されているところに特徴を有する。
【０００６】
請求項２の発明は、請求項１に記載のものにおいて、前記除肉部の切断面は、内周側に行くにつれて幅方向の内側に向かうような傾斜面となっているところに特徴を有する。
【０００７】
請求項３の発明に係る基板用コネクタは、回路基板に固定されるハウジングに端子が複数本並列して備えられたコネクタであって、前記端子は、一端が曲げ部から折り曲げられて、その先端部に、幅方向に張り出した治具当て部と、弾性又は塑性変形可能な電気接続部とが設けられ、前記治具当て部に圧入治具を当接させつつ前記電気接続部を前記スルーホールに圧入すると、前記電気接続部が前記スルーホールの内周に形成された導電部に接触して電気的接続が取られるようにしたものにおいて、前記曲げ部には、その内周側の両側縁部分を切除してなる除肉部が形成されているところに特徴を有する。
【０００８】
【発明の作用および効果】
請求項１及び請求項３の発明によれば、曲げ部に内周側の両側縁部分を切除した除肉部が形成されているため、端子を折り曲げた際に、曲げ部の内周側の肉が逃げて外側に張り出すことを防止できる。これにより、端子の圧入に際して、従来のように圧入治具と曲げ部の側面の張出部との干渉が問題とならないため、圧入治具の幅寸法を十分大きくとることができ、従って圧入治具と治具当て部との重なり代が確保され、作業性を確保することができる。
【０００９】
請求項２の発明によれば、曲げ部においては、内周側に行くほど逃げる肉の量が多くなり、そのため従来のものでは、内周側に行くほど張出部の突出量が大きくなる傾向にあるが、これに対応して、本構成では、除肉部の切断面が内周側に行くにつれて幅方向の内側に向かうような傾斜面となっているため、切除される肉の量を少なくでき、曲げ部における強度の低下が抑えられる。
【００１０】
【発明の実施の形態】
＜第１実施形態＞
次に本発明の第１実施形態について図１から図５を参照して説明する。
本実施形態の基板用コネクタＣは、合成樹脂製のハウジング１０と、複数本のプレスフィット端子２０（以下、端子という）とを備えて構成されている。ハウジング１０は、前面（図１の右側）が開放した箱形をなし、回路基板Ｐ上に固定される。ハウジング１０の後面壁には、端子２０が挿通される複数の端子圧入孔１１が横幅方向（図１の紙面に直交方向）に並んで形成されている。
【００１１】
端子２０は、導電性に優れた金属板をプレス加工することにより、図２に示すように、全体として細長い角棒状に形成される。そして、この端子２０は、その一端部に形成されたタブ部２１をハウジング１０の端子圧入孔１１に後方から圧入した後、Ｌ字形に屈曲され、他端側に設けられた電気接続部２３が回路基板Ｐのスルーホール４０に挿入されるようになっている。
回路基板Ｐは、図４にも示すように、表面に各種導電路４１が形成されているとともに、多数のスルーホール４０が開口されている。スルーホール４０の内周にはメッキ等により導電部４２が形成され、導電路４１と接続されている。
【００１２】
タブ部２１の基端側には、一対の抜止部２４と一対の位置決め部２５とが幅方向に張り出して形成されている。抜止部２４は、その先端寄りの縁がテーパ状とされて、端子２０をタブ部２１側から端子圧入孔１１に圧入可能とされるとともに、反対側の縁が切り立って抜け止めされる。また、位置決め部２５は、その先端寄りの縁が切り立って、圧入した際に端子圧入孔１１の縁部に係止して端子２０が位置決めされる。
【００１３】
電気接続部２３は、タブ部２１と反対側の端部に一対設けられており、各電気接続部２３は厚肉の帯状をなし、弾性又は塑性変形可能な薄肉部２６を間に挟んで外側へ略円弧状に膨出形成され、先端が先細り形状となっている。両電気接続部２３の最大径寸法は、スルーホール４０の導電部４２の内径よりも所定量大きくされている。電気接続部２３は、薄肉部２６を圧縮変形させつつ径方向に押し縮められることにより、スルーホール４０に挿入されて導電部４２と電気的に接続されるようになっている。電気接続部２３の基端側には、後述する圧入治具５０を当てるための一対の治具当て部２７が横幅方向に張り出して形成されている。
【００１４】
端子２０は、位置決め部２５と治具当て部２７との間に形成される細長い中間部２８の所定箇所で略９０度に折り曲げられ、その折り曲げ部分が曲げ部３０とされている。中間部２８には、長さ方向の全領域にわたって、曲げ部３０の内周になる面側の両側縁部がテーパ状に切除されることで除肉部３１が形成されている。より詳細には、図３にも示すように、曲げ部３０（中間部２８）の除肉部３１においては、その切断面が内周側（図３の下側）に行くにつれて幅方向の内側に向かうような傾斜面となっており、言い換えれば、内周側に行くにつれて曲げ部３０（中間部２８）の幅寸法が徐々に低減していく形状となっている。
【００１５】
次に本実施形態の作用を説明する。
端子２０は、プレスにより図２に示す形態で打ち抜かれ、このとき除肉部３１も同時に形成される。そして、端子２０のタブ部２１がハウジング１０の端子圧入孔１１に後方から圧入される。全ての端子２０がハウジング１０に装着された後、各端子２０の曲げ部３０から電気接続部２３に至る部分が下方へほぼ直角に折り曲げられる。ここで、端子２０を折り曲げた際には、曲げ部３０の内周側の肉が幅方向の外側へ逃げることがあるが、曲げ部３０に除肉部３１を設けたことにより逃げた肉が曲げ部３０の本来の幅寸法よりも外側に張り出ることが防止される。
【００１６】
電気接続部２３は、圧入治具５０を用いてスルーホール４０に挿入される。この圧入治具５０には、平板状の複数の押圧部５１が端子２０と同一ピッチで並列して設けられて櫛歯状をなしている。各押圧部５１間の幅寸法は、端子２０の中間部２８の幅寸法よりやや大きく、かつ端子２０の治具当て部２７の幅寸法より小さくされている。
基板用コネクタＣは、端子２０の各電気接続部２３が回路基板Ｐの対応するスルーホール４０の真上に位置するように、回路基板Ｐの上方に保持される。続いて、図４に示すように、圧入治具５０の各押圧部５１が各端子２０間へ上方から差し込まれる。このとき、端子２０の各曲げ部３０の側面には、従来のように張出部がないため、押圧部５１が端子２０間に円滑に差し込まれる。そして、各押圧部５１の先端が治具当て部２７の上縁に突き当てられ、そのまま圧入治具５０とともに基板用コネクタＣが下降される。
【００１７】
電気接続部２３がスルーホール４０内に挿入されていくと、両電気接続部２３がスルーホール４０の周縁に当接して、内側へ閉じるように弾性又は塑性変形する。所定の深さまで押し込まれたところで挿入動作が停止される（図５参照）。それに伴い、両電気接続部２３は、薄肉部２６の伸び方向の弾発力と、電気接続部２３自身の開き方向の弾発力を受けて、スルーホール４０の内周に押し付けられる。これにより端子２０は、スルーホール４０からの抜け止め状に保持されつつ、スルーホール４０の内周に形成された導電部４２との間で電気的接続が取られる。
【００１８】
以上のように本実施形態によれば、曲げ部３０に内周側の両側縁部分を切除した除肉部３１が形成されているため、端子２０を折り曲げた際に、曲げ部３０の内周側の肉が逃げて外側に張り出すことを防止できる。これにより、端子２０の圧入に際して、従来のように圧入治具と曲げ部の側面の張出部との干渉が問題とならないため、圧入治具５０の押圧部５１の幅寸法を十分大きくとることができ、従って圧入治具５０と治具当て部２７との重なり代が確保され、作業性を確保することができる。
【００１９】
また、曲げ部３０においては、内周側に行くほど逃げる肉の量が多くなり、そのため、従来のものでは内周側に行くほど張出部９の突出量が大きくなる傾向にあるが、これに対応して、本実施形態では、除肉部３１の切断面が内周側に行くにつれて幅方向の内側に向かうような傾斜面となっているため、切除される肉の量を少なくでき、曲げ部３０における強度の低下が抑えられる。
【００２０】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。なお、以下の説明において、第１実施形態と同様の機能を有する部位には同一符号を付すことで重複した説明は省略する。
（１）上記実施形態では、除肉部３１が中間部２８の全域にわたって設けられているが、例えば図６及び図７に示す端子６０のように、除肉部６１を曲げ部３０の近傍のみに設けるようにしても良い。
（２）上記第１実施形態では、除肉部３１の切断面が平面状であるが、例えば図８（Ａ）に示すように、除肉部６２の切断面を曲面状の傾斜面としても良い。なお、このものでも、除肉部６２の切断面が内周側に行くにつれて幅方向の内側に向かうような傾斜面となっているため、第１実施形態と同様に曲げ部３０における強度の低下が抑えられる。また、図８（Ｂ）に示すように、曲げ部３０における内周側の両側縁部を段差状に切除して除肉部６３を形成したようなものも本発明の技術的範囲に含まれる。
【図面の簡単な説明】
【図１】本発明の第１実施形態に係る基板用コネクタの断面図
【図２】プレスフィット端子の折り曲げ前の状態の底面図
【図３】プレスフィット端子の断面図
【図４】プレスフィット端子をスルーホールに圧入する前の状態を示す部分断面図
【図５】プレスフィット端子をスルーホールに圧入した後の状態を示す部分断面図
【図６】他の実施形態に係るプレスフィット端子の折り曲げ前の状態の底面図
【図７】他の実施形態に係るプレスフィット端子の側面図
【図８】（Ａ）（Ｂ）他の実施形態に係るプレスフィット端子の断面図
【図９】従来例における基板用コネクタの断面図
【図１０】従来例におけるプレスフィット端子をスルーホールに圧入する前の状態を示す部分断面図
【符号の説明】
Ｃ…基板用コネクタ
Ｐ…回路基板
１０…ハウジング
２０，６０…プレスフィット端子
２３…電気接続部
２７…治具当て部
３０…曲げ部
３１，６１，６２，６３…除肉部
４０…スルーホール
４２…導電部
５０…圧入治具
【図１】
2004319338.tif 000003
【図２】
2004319338.tif 000004
【図３】
2004319338.tif 000005
【図４】
2004319338.tif 000006
【図５】
2004319338.tif 000007
【図６】
2004319338.tif 000008
【図７】
2004319338.tif 000009
【図８】
2004319338.tif 000010
【図９】
2004319338.tif 000011
【図１０】
2004319338.tif 000012